(57)【要約】【課題】  簡単なシステムでレーザ光が漏れるのを防止することができる光源装置および光照射装置を提供する。【解決手段】    このように構成された光源装置１０および光照射装置３０においては、光源装置内電気ケーブル３２と、光源装置１０と加工用光学部３１とを接続する光ファイバコード１２内の２本の電気ケーブル１３ａ、１３ｂと、加工用光学部内電気ケーブル３２とにより閉ループを形成しているので、光源装置１０または加工用光学部３１から光ファイバコード１２が外れた場合には、電気ケーブル１３ａ、１３ｂ、１６、３２が断線する。このため、光ファイバ１４が外れた場合には電気ケーブル１３ａ、１３ｂ、１６、３２の導通状態により容易に検出することができ、光ファイバ１４が外れてレーザ光が漏れるのを防止して安全を確保することができる。【選択図】  図１
2007027388.tif 000002
【特許請求の範囲】
【請求項１】
出力端に接続された光ファイバコードを備えた光源装置であって、
前記光ファイバコードには２本の電気ケーブルが光ファイバとともに備えられ、前記光ファイバコード内の前記２本の電気ケーブルは前記光源装置のリモートインターロック端子に接続された光源装置内電気ケーブルと前記出力端で着脱可能に接続されていることを特徴とする光源装置。
【請求項２】
前記光ファイバコードは少なくとも片端にコネクタを備え、前記光源装置と前記２本の電気ケーブルおよび光ファイバとが一括して着脱できることを特徴とする請求項１に記載の光源装置。
【請求項３】
前記光源装置は、複数の光源を備え、前記各光源からの光を光源装置内光ファイバで前記出力端に導きバンドルファイバとして前記光コネクタに接続されていることを特徴とする請求項１または２に記載の光源装置。
【請求項４】
請求項１から３のいずれか１項に記載の光源装置における前記光ファイバコードに加工用光学部が接続された光照射装置であって、
前記光源装置内電気ケーブルと前記光ファイバコード内の前記２本の電気ケーブルと前記加工用光学部内に設けられている加工用光学部内電気ケーブルとで閉ループを形成していることを特徴とする光照射装置。
【請求項５】
前記光ファイバコードは両端にコネクタを備え、前記光源装置および前記加工用光学部と前記光ファイバコード内の前記２本の電気ケーブルおよび前記光ファイバとが一括して着脱できることを特徴とする請求項４に記載の光照射装置。
【発明の詳細な説明】
【技術分野】
【０００１】
本発明は光源装置および光照射装置に係り、例えば光源装置の出力端に光ファイバコードが接続されている光源装置および光照射装置に関するものである。
【背景技術】
【０００２】
従来より、レーザ光を照射する光源装置およびレーザ光照射装置が知られている（例えば特許文献１参照）。
図３に示すように、特許文献１に記載されているレーザ光照射装置１００は、レーザ装置１０１を有しており、光入射側の光ファイバ１０１ａを介してレーザ装置１０１からのレーザ光がレーザ光切替え装置１０２に導入されるようになっている。切替え装置１０２では、１台のレーザ装置１０１から入射された１本のレーザ光を４本の出力側光ファイバ１０３、１０４、１０５、１０６のいずれかに切り替えて出力して伝送する。出力側光ファイバ１０３、１０４、１０５、１０６は、保護管１０３ａ、１０４ａ、１０５ａ、１０６ａでそれぞれ外囲され、その各保護管１０３ａ、１０４ａ、１０５ａ、１０６ａの出力端に取り付けられたコネクタ１０３ｂ、１０４ｂ、１０５ｂ、１０６ｂでもって加工用光学系部１０３ｃ、１０４ｃ、１０５ｃ、１０６ｃにそれぞれ接続されている。そして、各保護管１０３ａ、１０４ａ、１０５ａ、１０６ａ内には、コネクタ１０３ｂ、１０４ｂ、１０５ｂ、１０６ｂと加工用光学系部１０３ｃ、１０４ｃ、１０５ｃ、１０６ｃとの接続状態が解除されたことを検知できる検知手段が設けられており、レーザ切替え装置１０２内の検知部と接続されている。
なお、レーザ切替え装置１０２内の検知部には信号線１０７を介して制御部１０８が接続されており、制御部１０８は信号線１０９によってレーザ装置１０１に接続されている。従って、制御部１０８は、検知部からの信号に従ってレーザ装置１０１を制御するようになっている。
【特許文献１】特開平５−１８３２２４号公報（図１）
【発明の開示】
【発明が解決しようとする課題】
【０００３】
ところで、光ファイバが外れて誤ってレーザ光が照射されるのを防止するために、前述したような、コネクタ１０３ｂ、１０４ｂ、１０５ｂ、１０６ｂと加工用光学系部１０３ｃ、１０４ｃ、１０５ｃ、１０６ｃとの接続状態が解除されたことを検知できる検知手段が設けられているが、専用の検知手段が用いられているため、システムが複雑で装置のコスト高を招くという不都合があった。
【０００４】
本発明の目的は、簡単なシステムでレーザ光が漏れるのを防止することができる光源装置および光照射装置を提供することにある。
【課題を解決するための手段】
【０００５】
前述した目的を達成するために、本発明にかかる光源装置は、出力端に接続された光ファイバコードを備えた光源装置であって、前記光ファイバコードには２本の電気ケーブルが光ファイバとともに備えられ、前記光ファイバコード内の前記２本の電気ケーブルは前記光源装置のリモートインターロック端子に接続された光源装置内電気ケーブルと前記出力端で着脱可能に接続されていることにある。
【０００６】
このように構成された光源装置においては、光源装置の出力端に接続された光ファイバコード内に光ファイバとともに２本の電気ケーブルを設け、光源装置の出力端において、この２本の電気ケーブルを光源装置のリモートインターロック端子に接続されている光源装置内電気ケーブルに着脱可能に接続した。このため、光源装置の出力端において光ファイバコードとともに電気ケーブル外れた場合には、電気ケーブルの導通という簡単で安価なシステムによりリモートインターロックを用いて光源装置の作動を停止させることができ、レーザ光が漏れるのを防止して安全を確保することができる。
【０００７】
また、本発明にかかる光源装置は、前記光ファイバコードは少なくとも片端にコネクタを備え、前記光源装置と前記２本の電気ケーブルおよび光ファイバとが一括して着脱できることにある。
【０００８】
このように構成された光源装置においては、光ファイバコードの光ファイバと２本の電気ケーブルとが、一体で光源装置に着脱されるので、光ファイバが外れた場合には２本の電気ケーブルも外れて断線する。このため、光ファイバが外れた場合には電気ケーブルの導通状態により容易に検出することができ、光ファイバが外れてレーザ光が漏れるのを防止して安全を確保することができる。
【０００９】
また、本発明にかかる光源装置は、前記光源装置は、複数の光源を備え、前記各光源からの光を光源装置内光ファイバで前記出力端に導きバンドルファイバとして前記光コネクタに接続されていることにある。
【００１０】
このように構成された光源装置においては、複数の光源からの光を導く複数本の光ファイバによりバンドルファイバを形成しているので、照明用あるいはエネルギー伝送用に適する。
【００１１】
また、本発明にかかる光照射装置は、前記光源装置内電気ケーブルと前記光ファイバコード内の前記２本の電気ケーブルと前記加工用光学部内に設けられている加工用光学部内電気ケーブルとで閉ループを形成していることにある。
【００１２】
このように構成された光照射装置においては、光照射装置を構成している光源装置内電気ケーブルと、光源装置と加工用光学部とを接続する光ファイバコード内の２本の電気ケーブルと、加工用光学部内電気ケーブルとにより閉ループを形成しているので、光源装置または加工用光学部から光ファイバコードが外れた場合には、電気ケーブルが断線する。このため、光ファイバコードが外れて光ファイバが外れた場合には、電気ケーブルの導通状態により容易に検出することができ、光ファイバが外れてレーザ光が漏れるのを防止して安全を確保することができる。
【００１３】
また、本発明にかかる光照射装置は、前記光ファイバコードは両端にコネクタを備え、前記光源装置および前記加工用光学部と前記光ファイバコード内の前記２本の電気ケーブルおよび前記光ファイバとが一括して着脱できることにある。
【００１４】
このように構成された光照射装置においては、光ファイバは両端のコネクタを介して光源装置または加工用光学部と着脱される。このとき、光ファイバと２本の電気ケーブルが一括して着脱されるので、光ファイバが外れた場合には電気ケーブルも外れることになり、電気ケーブルの断線により容易に光ファイバが外れた事を検出することができることになる。
【発明の効果】
【００１５】
本発明によれば、光源装置の出力端に接続された光ファイバコード内に光ファイバとともに２本の電気ケーブルを設けて、この電気ケーブルを光源装置の出力端においてリモートインターロック端子に接続されている光源装置内電気ケーブルに着脱可能としたので、従来のように、特別な検知手段を設けることによりコストアップを招くという問題を解消でき、電気ケーブルの導通という簡単で安価なシステムによりレーザ光が漏れるのを防止して安全を確保することができるという効果が得られる。
【発明を実施するための最良の形態】
【００１６】
以下、本発明に係る実施形態を図面に基づいて詳細に説明する。図１は本発明の光源装置および光照射装置に係る実施形態を示す構成図、図２（Ａ）は光ファイバの入力側端部に装着されるコネクタ部分を示す拡大断面図、図２（Ｂ）は光ファイバの出力側端部に装着されるコネクタ部分を示す拡大断面図である。
【００１７】
図１に示すように、本発明にかかる光源装置の実施形態であるレーザ装置１０は、出力端１１に接続された光ファイバコード１２を備えている。この光ファイバコード１２は２本の電気ケーブル１３ａ、１３ｂが光ファイバ１４とともに備えられ、光ファイバコード１２内の２本の電気ケーブル１３ａ、１３ｂは、レーザ装置１０のリモートインターロック端子１５に接続された光源装置内電気ケーブル１６と出力端１１で着脱可能に接続されている。リモートインターロック端子の一例として、ＪＩＳＣ６８０１に規定されたものを用いることができる。
また、レーザ装置１０は複数の光源１８を備えており、各光源１８からの光を光源装置内光ファイバ１９で出力端１１に導き、バンドルファイバ２０として光コネクタ１７ａに接続されている。
【００１８】
図２（Ａ）に示すように、光ファイバコード１２においては、例えばＳＵＳフレキシブル管２１のような保護管の内部で、中央に光ファイバ１４が配線され、光ファイバ１４を挟んで２本の電気ケーブル１３ａ、１３ｂが配線されている。また、光ファイバコード１２の入力端１２ａでは、ＳＵＳフレキシブル管２１の入力側端部にコネクタ１７ａが装着されており、レーザ装置１０に対して２本の電気ケーブル１３ａ、１３ｂと光ファイバ１４が一括して着脱できるようになっている。
従って、コネクタ１７ａがレーザ装置１０から外れて、光ファイバ１４が光源装置内光ファイバ１９から外れた場合には、同時に、光ファイバコード１２の２本の電気ケーブル１３ａ、１３ｂも光源装置内電気ケーブル１６から外れることになる。
【００１９】
また、本発明にかかる光照射装置３０は、図１に示すように、前述した光源装置としてのレーザ装置１０における光ファイバコード１２に加工用光学部３１が接続されたものである。そして、レーザ装置１０内の光源装置内電気ケーブル１６と光ファイバコード１２内の２本の電気ケーブル１３ａ、１３ｂと加工用光学部３１内の加工用光学部内電気ケーブル３２で閉ループを形成している。
なお、図２（Ｂ）に示すように、光ファイバコード１２の出力端１２ｂにおいては、ＳＵＳフレキシブル管２１の出力側端部にコネクタ１７ｂが装着されており、加工用光学部３１に対して２本の電気ケーブル１３ａ、１３ｂと光ファイバ１４が一括して着脱できるようになっている。
【００２０】
すなわち、レーザ装置１０内においてリモートインターロック端子１５に接続されている光源装置内電気ケーブル１６の両端に光ファイバコード１２の２本の電気ケーブル１３ａ、１３ｂの一端を接続し、さらに２本の電気ケーブル１３ａ、１３ｂの他端に加工用光学部３１内に設けられている加工用光学部内電気ケーブル３２の両端を接続して閉ループを形成している。そして、レーザ装置１０は、リモートインターロック端子１５の働きにより、閉ループが形成されて導通している場合にのみ作動可能となっている。
なお、光ファイバコード１２の両端にはコネクタ１７ａ、１７ｂが設けられており、光ファイバ１４および２本の電気コード１３ａ、１３ｂは一括してレーザ装置１０または加工用光学部３１に着脱できるようになっている。
【００２１】
以上、前述した光源装置１０および光照射装置３０によれば、光ファイバコード１２のコネクタ１７ａがレーザ装置１０から外れたり、あるいは光ファイバコード１２のコネクタ１７ｂが加工用光学部３１から外れたりして光ファイバ１４が外れると、同時に電気ケーブル１３ａ、１３ｂも一括して外れるため閉ループが崩れ、コネクタ１７ａ、１７ｂが外れた事を容易に検出することができる。
これにより、電気ケーブル１３ａ、１３ｂ、１６、１９の導通という簡単で安価なシステムにより光ファイバ１４が外れたことを検出することができるので、リモートインターロック端子１５の作用でレーザ装置１０の作動を停止させることにより、レーザ光が漏れるのを防止して安全を確保することができる。
【００２２】
なお、本発明の光源装置および光照射装置は、前述した実施形態に限定されるものでなく、適宜な変形，改良等が可能である。
例えば、前述した実施形態において、光ファイバコード１２の両端にコネクタ１７ａ、１７ｂを設けた場合について例示したが、本発明は光ファイバコード１２の一端のみがコネクタ１７ａ（１７ｂ）によって着脱可能となっている場合にも適用可能である。
【産業上の利用可能性】
【００２３】
以上のように、本発明に係る光源装置および光照射装置は、光源装置の出力端に接続された光ファイバコード内に光ファイバとともに２本の電気ケーブルを設けて、この電気ケーブルを光源装置の出力端においてリモートインターロック端子に接続されている光源装置内電気ケーブルに着脱可能としたので、従来のように、特別な検知手段を設けることによりコストアップを招くという問題を解消でき、電気ケーブルの導通という簡単で安価なシステムによりレーザ光が漏れるのを防止して安全を確保することができるという効果を有し、例えば光源装置の出力端に光ファイバコードが接続されている光源装置および光照射装置等として有用である。
【図面の簡単な説明】
【００２４】
【図１】本発明に係る光源装置および光照射装置の実施形態を示す構成図である。
【図２】（Ａ）光ファイバコードとレーザ装置との接続部を示す断面図である。  （Ｂ）光ファイバコードと加工用光学部との接続部を示す断面図である。
【図３】従来の光源装置および光照射装置に用いられているレーザ光切替え装置を示す構成図である。
【符号の説明】
【００２５】
１０  レーザ装置（光源装置）
１１  出力端
１２  光ファイバコード
１３ａ、１３ｂ  電気ケーブル
１４  光ファイバ
１５  リモートインターロック端子
１６  電気ケーブル
１７ａ、１７ｂ  コネクタ
１８  光源
１９  光ファイバ
２０  バンドルファイバ
３０  光照射装置
３１  加工用光学部
３２  電気ケーブル
【図１】
2007027388.tif 000003
【図２】
2007027388.tif 000004
【図３】
2007027388.tif 000005